(57)【要約】【課題】半導体レーザ素子を用いて発熱を防止し薄型化が困難にならず、光源エリアのうちの所望のエリア部分の光量を容易に調整する。【解決手段】各ライン毎の液晶素子３０−ｎ〜３０−１を制御部２がオン／オフ制御することにより、半導体レーザ１０−１〜１０−ｍから出射されるレーザ光の偏光面を回転させて、偏光ビームスプリッタ４０−ｎ〜４０−１で光を所望の方向に反射させて導くことができる。このように、液晶素子および偏光ビームスプリッタを組み合わせることにより、半導体レーザから出射されるレーザ光を面内の所望の位置に導くことができる。液晶素子の駆動タイミングと、半導体レーザ１０−１〜１０−ｍの駆動タイミングを調整することによって、面内の希望の位置の光量を自由に調整することができて、半導体レーザ素子を用いて、画像の各部分の平均の明るさに合わせて、光量を調整し、画像のコントラスト比を向上させる。【選択図】図１２
2012094411.tif 000002
【特許請求の範囲】
【請求項１】
レーザ光を出射する半導体レーザ素子が設けられ、
該半導体レーザ素子からのレーザ光の偏光を第１偏光および第２偏光のいずれかの偏光にして出射する偏光出射手段と、該偏光出射手段からの出射光を該第１偏光および該第２偏光に応じて反射または透過する反射・透過手段との組み合わせを複数組有し、
該偏光出射手段および該反射・透過手段の組の複数組が、該半導体レーザ素子からのレーザ光の出射方向に直線状に設けられ、
分割エリア毎に設定した明るさに応じて発光量を調整する発光量調整部と、
該発光量調整部の設定に基づいて、半導体レーザ素子を駆動制御すると共に、該複数の偏光出射手段からの出射光を該第１偏光および該第２偏光のいずれかに順次選択制御する駆動制御部とが設けられた発光装置。
【請求項２】
レーザ光を出射する複数の半導体レーザ素子が設けられ、
該半導体レーザ素子からのレーザ光の偏光を第１偏光および第２偏光のいずれかの偏光にして出射する偏光出射手段と、該偏光出射手段からの出射光を該第１偏光および該第２偏光に応じて反射または透過する反射・透過手段との組み合わせを複数組有し、
該偏光出射手段および該反射・透過手段の組の複数組が、該半導体レーザ素子からのレーザ光の出射方向に直線状に設けられ、該直線状に設けられた該半導体レーザ素子および該複数組のセットがさらに複数組、該レーザ光の出射方向に垂直な方向に設けられて、該複数の反射・透過手段が面状に配設され、
分割エリア毎に設定した明るさに応じて発光量を調整する発光量調整部と、
該発光量調整部の設定に基づいて、半導体レーザ素子を駆動制御すると共に、該複数の偏光出射手段からの出射光を該第１偏光および該第２偏光のいずれかに順次選択制御する駆動制御部とが設けられた発光装置。
【請求項３】
レーザ光の出射する半導体レーザ素子が設けられ、
該半導体レーザ素子からのレーザ光の偏光を第１偏光および第２偏光のいずれかの偏光にして出射する偏光出射手段と、該偏光出射手段からの出射光を該第１偏光および該第２偏光に応じて反射または透過する反射・透過手段との組み合わせを複数組有し、
該複数組が該半導体レーザ素子からのレーザ光の出射方向に直線状に設けられ、該直線状に設けられた該複数の反射・透過手段からの反射方向にそれぞれ、該偏光出射手段と、該反射・透過手段との組み合わせを複数組有して、当該複数の反射・透過手段が面状に配設され、
分割エリア毎に設定した明るさに応じて発光量を調整する発光量調整部と、
該発光量調整部の設定に基づいて、半導体レーザ素子を駆動制御すると共に、該複数の偏光出射手段からの出射光を該第１偏光および該第２偏光のいずれかに順次選択制御する駆動制御部とが設けられた発光装置。
【請求項４】
前記反射・透過手段からの反射光が入射されて発光する蛍光体が該反射・透過手段毎に設けられている請求項１または２に記載の発光装置。
【請求項５】
前記複数の反射・透過手段の反射方向に更に設けられた反射・透過手段からの反射光が入射されて発光する蛍光体が当該反射・透過手段毎に設けられている請求項３に記載の発光装置。
【請求項６】
前記複数の蛍光体が線状または面状に配設されている請求項４または５に記載の発光装置。
【請求項７】
前記蛍光体は、前記半導体レーザ素子からの青紫色のレーザ光が照射されて白色に発光する請求項４〜６のいずれかに記載の発光装置。
【請求項８】
前記駆動制御部は、前記半導体レーザ素子を駆動制御すると共に、線状または面状に配列された前記複数の偏光出射手段を順次制御して線状または面状に光照射するように制御が為される請求項１〜３のいずれかに記載の発光装置。
【請求項９】
前記偏光出射手段は液晶素子であり、前記反射・透過手段は偏光ビームスプリッタである請求項１〜３のいずれかに記載の発光装置。
【請求項１０】
請求項４〜７のいずれかに記載の発光装置を、画像データに基づいて画像を表示する液晶ディスプレイのバックライトとして用いたバックライト用光源装置において、
前記複数の蛍光体がバックライトとして線状または面状に配設され、
前記発光量調整部は、画像データによって分割表示エリア毎に設定された明るさに応じて、該分割表示エリアに対応した分割バックライトエリアの発光量を調整するバックライト用光源装置。
【請求項１１】
請求項１〜９のいずれかに記載のバックライト用光源装置をバックライトとして用いた液晶表示装置。
【請求項１２】
各画素毎のカラー画像信号を表示用に信号処理する画像処理部と、該画像処理部で信号処理されたカラー画像信号に基づいて表示される表示部とを有し、前記発光量調整部は、該カラー画像信号が入力され、該カラー画像信号に基づいて分割表示エリア毎に明るさが設定され、この設定された該分割表示エリア毎に明るさに応じて、該分割表示エリアに対応した分割バックライトエリアの発光量を調整する請求項１１に記載の液晶表示装置。
【請求項１３】
請求項１〜９のいずれかに記載の発光装置を用いて文字および記号などのシンボルを表示可能とする表示装置。
【発明の詳細な説明】
【技術分野】
【０００１】
本発明は、半導体レーザを用いた線状または面状の発光装置および、これを液晶ディスプレイのバックライトとして用いたバックライト用光源装置、このバックライト用光源装置をバックライトとして用いた液晶表示装置、この発光装置を用いて文字および記号などのシンボルを表示可能とする表示装置に関する。
【背景技術】
【０００２】
この種の従来のバックライト用光源装置は、液晶ディスプレイの背面の各エリア毎にＬＥＤ光源を配置して、液晶ディスプレイのバックライトとして用いられている。画像の各エリア部分の平均の明るさに応じて光量を調整し、画像のコントラスト比を向上させる技術が「エリアアクティブ」として知られている。
【０００３】
一方、特許文献１、２には、液晶ディスプレイのバックライト用光源として半導体レーザ素子を用い、半導体レーザ素子から出射されたレーザ光を面状に分割する技術が開示されている。
【先行技術文献】
【特許文献】
【０００４】
【特許文献１】特開２００９−４９００８号公報
【特許文献２】国際公開番号Ｗ０２００８／１３２７９６号公報
【発明の概要】
【発明が解決しようとする課題】
【０００５】
上記従来の「エリアアクティブ」の技術では、液晶ディスプレイの背面の各エリア毎にＬＥＤ光源を配置する必要から、発熱や薄型化が困難になるという問題があった。
【０００６】
また、特許文献１、２に開示されている従来技術では、半導体レーザ素子を用いていることから、発熱や薄型化が困難になるという問題は解消されるものの、発光面内の光量を所望の部分エリアによって調整することが全くできなかった。
【０００７】
本発明は、上記従来の問題を解決するもので、半導体レーザ素子を用いて発熱を防止し薄型化が困難にならず、光源エリアのうちの所望のエリア部分の光量を容易に調整することができる多線状または面状の発光装置および、これを液晶ディスプレイのバックライトとして用いたバックライト用光源装置、このバックライト用光源装置をバックライトとして用いた液晶表示装置、この発光装置を用いて文字および記号などのシンボルを表示可能とする表示装置を提供することを目的とする。
【課題を解決するための手段】
【０００８】
本発明の発光装置は、レーザ光を出射する半導体レーザ素子が設けられ、該半導体レーザ素子からのレーザ光の偏光を第１偏光および第２偏光のいずれかの偏光にして出射する偏光出射手段と、該偏光出射手段からの出射光を該第１偏光および該第２偏光に応じて反射または透過する反射・透過手段との組み合わせを複数組有し、該偏光出射手段および該反射・透過手段の組の複数組が、該半導体レーザ素子からのレーザ光の出射方向に直線状に設けられ、分割エリア毎に設定した明るさに応じて発光量を調整する発光量調整部と、該発光量調整部の設定に基づいて、半導体レーザ素子を駆動制御すると共に、該複数の偏光出射手段からの出射光を該第１偏光および該第２偏光のいずれかに順次選択制御する駆動制御部とが設けられたものであり、そのことにより上記目的が達成される。
【０００９】
本発明の発光装置は、レーザ光を出射する複数の半導体レーザ素子が設けられ、該半導体レーザ素子からのレーザ光の偏光を第１偏光および第２偏光のいずれかの偏光にして出射する偏光出射手段と、該偏光出射手段からの出射光を該第１偏光および該第２偏光に応じて反射または透過する反射・透過手段との組み合わせを複数組有し、該偏光出射手段および該反射・透過手段の組の複数組が、該半導体レーザ素子からのレーザ光の出射方向に直線状に設けられ、該直線状に設けられた該半導体レーザ素子および該複数組のセットがさらに複数組、該レーザ光の出射方向に垂直な方向に設けられて、該複数の反射・透過手段が面状に配設され、分割エリア毎に設定した明るさに応じて発光量を調整する発光量調整部と、該発光量調整部の設定に基づいて、半導体レーザ素子を駆動制御すると共に、該複数の偏光出射手段からの出射光を該第１偏光および該第２偏光のいずれかに順次選択制御する駆動制御部とが設けられたものであり、そのことにより上記目的が達成される。
【００１０】
本発明の発光装置は、レーザ光の出射する半導体レーザ素子が設けられ、該半導体レーザ素子からのレーザ光の偏光を第１偏光および第２偏光のいずれかの偏光にして出射する偏光出射手段と、該偏光出射手段からの出射光を該第１偏光および該第２偏光に応じて反射または透過する反射・透過手段との組み合わせを複数組有し、該複数組が該半導体レーザ素子からのレーザ光の出射方向に直線状に設けられ、該直線状に設けられた該複数の反射・透過手段からの反射方向にそれぞれ、該偏光出射手段と、該反射・透過手段との組み合わせを複数組有して、当該複数の反射・透過手段が面状に配設され、分割エリア毎に設定した明るさに応じて発光量を調整する発光量調整部と、該発光量調整部の設定に基づいて、半導体レーザ素子を駆動制御すると共に、該複数の偏光出射手段からの出射光を該第１偏光および該第２偏光のいずれかに順次選択制御する駆動制御部とが設けられたものであり、そのことにより上記目的が達成される。
【００１１】
また、好ましくは、本発明の発光装置における反射・透過手段からの反射光が入射されて発光する蛍光体が該反射・透過手段毎に設けられている。
【００１２】
さらに、好ましくは、本発明の発光装置における複数の反射・透過手段の反射方向に更に設けられた反射・透過手段からの反射光が入射されて発光する蛍光体が当該反射・透過手段毎に設けられている。
【００１３】
さらに、好ましくは、本発明の発光装置における複数の蛍光体が線状または面状に配設されている。
【００１４】
さらに、好ましくは、本発明の発光装置における蛍光体は、前記半導体レーザ素子からの青紫色のレーザ光が照射されて白色に発光する。
【００１５】
さらに、好ましくは、本発明の発光装置における駆動制御部は、前記半導体レーザ素子を駆動制御すると共に、線状または面状に配列された前記複数の偏光出射手段を順次制御して線状または面状に光照射するように制御が為される。
【００１６】
さらに、好ましくは、本発明の発光装置における偏光出射手段は液晶素子であり、前記反射・透過手段は偏光ビームスプリッタである。
【００１７】
本発明のバックライト用光源装置は、本発明の上記発光装置を、画像データに基づいて画像を表示する液晶ディスプレイのバックライトとして用いたバックライト用光源装置において、前記複数の蛍光体がバックライトとして線状または面状に配設され、前記発光量調整部は、画像データによって分割表示エリア毎に設定された明るさに応じて、該分割表示エリアに対応した分割バックライトエリアの発光量を調整するものであり、そのことにより上記目的が達成される。
【００１８】
本発明の液晶表示装置は、本発明の上記バックライト用光源装置をバックライトとして用いたものであり、そのことにより上記目的が達成される。
【００１９】
また、好ましくは、本発明のバックライト用光源装置において、各画素毎のカラー画像信号を表示用に信号処理する画像処理部と、該画像処理部で信号処理されたカラー画像信号に基づいて表示される表示部とを有し、前記発光量調整部は、該カラー画像信号が入力され、該カラー画像信号に基づいて分割表示エリア毎に明るさが設定され、この設定された該分割表示エリア毎に明るさに応じて、該分割表示エリアに対応した分割バックライトエリアの発光量を調整する。
【００２０】
本発明の表示装置は、本発明の上記発光装置を用いて文字および記号などのシンボルを表示可能とするものであり、そのことにより上記目的が達成される。
【００２１】
上記構成により、以下、本発明の作用を説明する。
【００２２】
本発明においては、半導体レーザ素子からのレーザ光の偏光を第１偏光および第２偏光のいずれかの偏光にして出射する偏光出射手段と、偏光出射手段からの出射光を該第１偏光および該第２偏光に応じて反射または透過する反射・透過手段とを基本単位として用いて、線状又は面状に光照射可能とする。
【００２３】
これによって、半導体レーザ素子を用いて発熱を防止し薄型化が困難にならず、光源エリアのうちの所望のエリア部分の光量を容易に調整することが可能となる。
【発明の効果】
【００２４】
以上により、本発明によれば、半導体レーザ素子を用いて発熱を防止し薄型化が困難にならず、光源エリアのうちの所望のエリア部分の光量を容易に調整することができる。
【図面の簡単な説明】
【００２５】
【図１】本発明の実施形態１のバックライト用光源装置における基本単位ユニットの動作原理（その１）を模式的に示す構成図である。
【図２】本発明の実施形態１のバックライト用光源装置における基本単位ユニットの動作原理（その２）を模式的に示す構成図である。
【図３】本発明の実施形態１のバックライト用光源装置における基本単位ユニットの動作原理（その３）を模式的に示す構成図である。
【図４】本発明の実施形態１のバックライト用光源装置における基本単位ユニットの動作原理（その４）を模式的に示す構成図である。
【図５】本発明の実施形態１のバックライト用光源装置における一ラインの構成例を模式的に示す要部構成図である。
【図６】本発明の実施形態１のバックライト用光源装置における一ラインの動作原理（その１）を模式的に示す要部構成図である。
【図７】本発明の実施形態１のバックライト用光源装置における一ラインの動作原理（その２）を模式的に示す要部構成図である。
【図８】本発明の実施形態１のバックライト用光源装置における一ラインの動作原理（その３）を模式的に示す要部構成図である。
【図９】本発明の実施形態１のバックライト用光源装置における一ラインの動作原理（その４）を模式的に示す要部構成図である。
【図１０】本発明の実施形態１のバックライト用光源装置における一ラインの動作原理（その５）を模式的に示す要部構成図である。
【図１１】本実施形態１のバックライト用光源装置における光源領域および一ライン毎の半導体レーザを模式的に示す平面図である。
【図１２】本実施形態１のバックライト用光源装置において光源領域を発光制御するための要部構成例を示すブロック図である。
【図１３】本実施形態２のバックライト用光源装置における一部エリアの構成例を模式的に示す要部構成図である。
【図１４】本実施形態２のバックライト用光源装置における一部エリアの動作原理を模式的に示す要部構成図である。
【図１５】本実施形態２のバックライト用光源装置１Ａにおける光源領域および半導体レーザの配置を模式的に示す平面図である。
【図１６】本実施形態２のバックライト用光源装置１Ａにおいて光源領域を発光制御するための要部構成例を示すブロック図である。
【発明を実施するための形態】
【００２６】
以下に、本発明の発光装置を液晶ディスプレイのバックライトとして用いたバックライト用光源装置の実施形態１、２について図面を参照しながら詳細に説明する。なお、各図における構成部材のそれぞれの厚みや長さなどは図面作成上の観点から、図示する構成に限定されるものではない。
【００２７】
（実施形態１）
図７は、本発明の実施形態１のバックライト用光源装置における一ライン構成例を模式的に示す要部構成図である。図１２は、本実施形態１のバックライト用光源装置において光源領域を発光制御するための要部構成例を示すブロック図である。
【００２８】
図７および図１２において、画像データに基づいて画像を表示する液晶ディスプレイのバックライト用光源装置１は、レーザ光の出射する半導体レーザ素子としての半導体レーザ１０が設けられ、半導体レーザ１０からのレーザ光の偏光を第１偏光ＴＥおよび第２偏光ＴＭのいずれかの偏光にして出射する偏光出射手段としての液晶素子３０と、液晶素子３０からの出射光を第１偏光ＴＥおよび第２偏光ＴＭに応じて反射または透過する反射・透過手段としての偏光ビームスプリッタ４０と、偏光ビームスプリッタ４０からの反射光が入射されて発光する蛍光体８０との組み合わせを複数組（図７では４組を表示）有し、液晶素子３０および偏光ビームスプリッタ４０の組の複数組が、半導体レーザ１０からのレーザ光の出射方向に直線状に設けられ、この直線状に設けられた半導体レーザ１０および複数組（図７では４組を表示）のセットがさらに、レーザ光の出射方向に垂直な方向に複数設けられて、蛍光体８０の複数（図７では４つを表示）がバックライトとして面状に配設されている。蛍光体８０は、半導体レーザ１０からの赤色または青色のレーザ光が照射されて発光するが、半導体レーザ１０としてはエネルギーの高い青色のレーザ光を用いる方が望ましい。
【００２９】
また、バックライト用光源装置１は、図１２の制御部２として、後述する発光量調整部２２の設定に基づいて、複数の半導体レーザ１０−１〜１０−ｍを駆動制御すると共に、液晶素子３０−１〜３０−ｎからの出射光を第１偏光ＴＥおよび第２偏光ＴＭのいずれかに順次選択制御する駆動制御部２１と、画像データにより分割表示エリア毎に設定した明るさに応じて、分割表示エリアに対応したバックライトエリアの発光量を調整する発光量調整部２２とを有している。
【００３０】
以下、上記本実施形態１のバックライト用光源装置１について更に詳細に説明する。
【００３１】
図１〜図４はそれぞれ、本発明の実施形態１のバックライト用光源装置１における基本単位ユニットの動作原理（その１〜４）を模式的に示す構成図である。
図１に示すように、本発明の単位ユニットには半導体レーザ１０が設けられ、この半導体レーザ１０からのレーザ光の出射方向に、コリメートレンズ２０と、液晶素子３０と、偏光ビームスプリッタ４０とが直線状に配置されている。この場合、レーザ光５０の偏光面が図１の紙面に沿って平行な場合をＴＥとし、レーザ光５０の偏光面が図１の紙面に対して垂直の場合をＴＭとする。また、図１中では、ＴＥのレーザ光を実線で、ＴＭのレーザ光を点線で記載することにする。
【００３２】
まず、図２に示すように、半導体レーザ１０を駆動する。この半導体レーザ１０から出射されたレーザ光は、コリメートレンズ２０を通って略平行なレーザ光５０となる。このとき、レーザ光５０は、図１の紙面に沿って平行な偏光面ＴＥとする。この実線で示す偏光面ＴＥのレーザ光５０は、電圧をかけてｏｎ状態となっている液晶素子３０に入射する。偏光面がＴＥのレーザ光５０は、ｏｎ状態の液晶素子３０を通るが、偏光面ＴＥはその通過後も変わらず、偏光面ＴＥのレーザ光６０となる。この光面ＴＥのレーザ光６０が偏光ビームスプリッタ４０を、ＴＥ透過、ＴＭ反射、とした場合に、偏光面ＴＥのレーザ光６０は、偏光ビームスプリッタ４０を透過し、レーザ光７０となる。
【００３３】
次に、図３に示すように、半導体レーザ１０から出射されたレーザ光は、コリメートレンズ２０を通り、略平行なレーザ光５０となっているが、このとき、レーザ光５０は偏光面がＴＥである。偏光面がＴＥのレーザ光５０は、電圧をかけずｏｆｆ状態となっている液晶素子３０に入射する。偏光面がＴＥのレーザ光５０は、ｏｆｆ状態の液晶素子３０を通るときに、偏光面は変わり、偏光面がＴＭのレーザ光６１となる。偏光ビームスプリッタ４０を、ＴＥ透過、ＴＭ反射とした場合、偏光面がＴＭのレーザ光６１は、偏光ビームスプリッタ４０で反射して偏光面がＴＭのレーザ光７１となる。
図１〜３では、偏光ビームスプリッタ４０を、ＴＥ透過、ＴＭ反射としたが、これに限らず、ＴＥ反射、ＴＭ透過の偏光ビームスプリッタ４１を使用することもできる。この場合を図４に示している。
【００３４】
図４に示すように、半導体レーザ１０から出射されたレーザ光は、コリメートレンズ２０を通り、略平行なレーザ光５０となった後に、偏光面がＴＥのレーザ光５０は、電圧をかけずｏｆｆ状態となっている液晶素子３０に入射する。偏光面がＴＥのレーザ光５０は、ｏｆｆ状態の液晶素子３０を通るときに、偏光面が変わり、偏光面がＴＭのレーザ光６１となるが、偏光ビームスプリッタ４１は、ＴＥ反射、ＴＭ透過であるので、偏光面がＴＭのレーザ光６１は、偏光ビームスプリッタ４１を透過してレーザ光７２となる。
【００３５】
図５〜図１０はそれぞれ、本実施形態１のバックライト用光源装置における一ラインの構成および動作原理（その１〜５）を模式的に示す要部構成図である。
【００３６】
図５に示すように、本実施形態１のバックライト用光源装置１の一ラインにおいて、半導体レーザ１０が設けられ、この半導体レーザ１０からのレーザ光の出射方向に、平行光を得るためのコリメートレンズ２０が設けられ、レーザ光の出射方向に、液晶素子３０と、偏光ビームスプリッタ４０とのセットが多数直線状に配置されている。即ち、半導体レーザ１０の出射方向に、コリメートレンズ２０の次に、液晶素子３０と、偏光ビームスプリッタ４０とを交互に多数セットを直線状に配置している。
【００３７】
偏光ビームスプリッタ４０は、ＴＥ透過、ＴＭ反射である。また、複数個の液晶素子３０−１〜３０−ｎのそれぞれから複数個の偏光ビームスプリッタ４０−１〜４０−ｎのそれぞれの反射方向に各蛍光体８０−１〜８０−ｎがそれぞれ配置されている。複数個の蛍光体８０−１〜８０−ｎはそれぞれ、使用する半導体レーザ１０の発振波長にて励起される蛍光体である。これらの複数個の蛍光体８０−１〜８０−ｎにより、表示部の１ライン分の発光が為される。
【００３８】
まず、図６に示すように、半導体レーザ１０を駆動する。半導体レーザ１０から出射されたレーザ光は、コリメートレンズ２０を通って、略平行なレーザ光５０となる。このとき、レーザ光５０は偏光面がＴＥである。偏光面がＴＥのレーザ光５０は、複数のｏｎ状態の液晶素子３０−１〜３０−ｎのそれぞれを通るが偏光面は変わらず、複数の偏光ビームスプリッタ４０−１〜４０−ｎを全て透過する。
図７では、半導体レーザ１０から出射されたレーザ光は、コリメートレンズ２０を通り、略平行なレーザ光５０となった偏光面がＴＥのレーザ光５０は、順番に複数のｏｎ状態の液晶素子３１を通るが偏光面は変わらず、ここでは、三つの偏光ビームスプリッタ４０−１〜４０−３をそれぞれ透過する。最初に光路上に現れたｏｆｆ状態の液晶素子３０−４を通るときに、偏光面がＴＭに変わり、偏光面がＴＭのレーザ光６１となる。偏光面がＴＭのレーザ光６１は、ｏｆｆ状態の液晶素子３０−４の直後の偏光ビームスプリッタ４０−４で反射してレーザ光７１となる。レーザ光７１は、蛍光体８０−４に照射されて、蛍光体８０−４が発光する。
【００３９】
図８では、最初に光路上に現れたｏｆｆ状態の液晶素子３０−３を通るときに、偏光面がＴＭに変わる。偏光面がＴＭのレーザ光６１は、ｏｆｆ状態の液晶素子３０−３の直後の偏光ビームスプリッタ４０−３で反射してレーザ光７１となる。レーザ光７１は、蛍光体８０−３に照射されて、蛍光体８０−３が発光する。
【００４０】
図９では、最初に光路上に現れたｏｆｆ状態の液晶素子３０−２を通るときに、偏光面がＴＭに変わる。偏光面がＴＭのレーザ光６１は、ｏｆｆ状態の液晶素子３０−２の直後の偏光ビームスプリッタ４０−２で反射してレーザ光７１となる。レーザ光７１は、蛍光体８０−２に照射されて、蛍光体８０−２が発光する。
【００４１】
さらに、図１０では、最初に光路上に現れたｏｆｆ状態の液晶素子３０−１を通るときに、偏光面がＴＭに変わる。偏光面がＴＭのレーザ光６１は、ｏｆｆ状態の液晶素子３０−１の直後の偏光ビームスプリッタ４０−１で反射してレーザ光７１となる。レーザ光７１は、蛍光体８０−１に照射されて、蛍光体８０−１が発光する。
なお、図８〜１０で、レーザ光が通らない部分の液晶素子３０のｏｎ／ｏｆｆは不問である。
【００４２】
上記したように、複数個の液晶素子３０−１〜３０−ｎのｏｎ／ｏｆｆの組み合わせにより、希望する位置の蛍光体８０−ｒ（１≦ｒ≦ｎ；ｒ、ｎは自然数）を発光させることができる。
【００４３】
また、複数個の液晶素子３０−１〜３０−ｎのｏｎ／ｏｆｆの組み合わせを高速で切り替えることにより、あたかも，１ラインの複数個の蛍光体８０−１〜８０−ｎが同時に光っているような状態を作り出すことができる。例えば、図７〜図１０の状態を高速で切り替えることにより、あたかも複数個の蛍光体８０−１〜８０−４が同時に光っているような状態を作り出すことができる。
【００４４】
図１１は、本実施形態１のバックライト用光源装置における光源領域および一ライン毎の半導体レーザを模式的に示す平面図である。
【００４５】
図１１において、光源領域５は複数領域に分割されており、複数の半導体レーザ１０−１〜１０−ｍがそれぞれ上からこの順次、一ライン毎に設けられている。まず、最も上のラインに対応した半導体レーザ１０−１が点灯した状態で蛍光体８０−ｎ〜８０−１が順次発光し、次に、上から２番目のラインに対応した半導体レーザ１０−２が点灯した状態で蛍光体８０−ｎ〜８０−１が順次発光し、・・・最後のラインに対応した半導体レーザ１０−ｍが点灯した状態で蛍光体８０−ｎ〜８０−１が順次発光することを高速に繰り返すことにより、光源領域５全体として面発光する。
【００４６】
なお、最も上のラインに対応した半導体レーザ１０−１、上から２番目のラインに対応した半導体レーザ１０−２、・・・最後のラインに対応した半導体レーザ１０−ｍは同時に点灯した状態で使用することもできる。
【００４７】
図１２に示すように、本実施形態１のバックライト用光源装置１において、光源領域を発光制御する制御部２は、複数の半導体レーザ１０−１〜１０−ｍに対して順次駆動信号を出力し、各半導体レーザの駆動中に、複数個の液晶素子３０−ｎ〜３０−１を順次オフするように制御が為される。
【００４８】
液晶表示装置の画像処理部３において各画素毎のカラー画像信号を、表示用に、色補間処理、ホワイトバランスおよびガンマ処理などの各種信号処理をした後に、表示部４の表示駆動回路を介して液晶表示画面上に表示する場合に、バックライト用光源装置１は、光源領域５の複数分割領域に対応した各画素毎のカラー画像信号の明るさの平均値または中央値が閾値以下になったときに、その分割領域に対応した各蛍光体が発光する明るさを暗くするように制御部２が制御する。この場合の制御は、制御部２が、蛍光体の発光時間を通常の発光時間よりも短くしてそのエリアのバックライトの発光強度を弱くする。このように、暗い画像のエリアのバックライト（蛍光体）を暗くすることによって、画像のコントラスト比をいっそう向上させることができる。
【００４９】
例えば、光源領域５のうちの最初の分割領域（ここでは、蛍光体が縦５×横５の場合であるが、縦８×横１０でもよい）のバックライト強度を弱く設定する場合について説明する。この最初の分割領域が半導体レーザ１０−１〜１０−５で、液晶素子３０−ｎ〜３０−ｎ-５の場合に、光源領域を発光制御する制御部２は、半導体レーザ１０−１を点灯させている間に、液晶素子３０−ｎ〜３０−ｎ-５を順次各短時間づつ、オンからオフに制御して、偏光ビームスプリッタ４０−ｎ〜４０−ｎ-５で順次反射させて蛍光体８０−ｎ〜８０−ｎ-５を順次各短時間づつ発光させる。さらに、半導体レーザ１０−１を点灯させている間に、液晶素子３０−ｎ-６〜３０−１を順次各通常時間（短時間よりも長い時間）づつ、オンからオフに制御して、偏光ビームスプリッタ４０−ｎ-６〜４０−１で順次反射させて蛍光体８０−ｎ-６〜８０−１を順次各通常時間づつ発光させる。以上の動作を半導体レーザ１０−１〜１０−５で高速に行う。なお、一つの分割領域として、ここでは、蛍光体の個数が縦５×横５の場合について説明したが、これに限らず、蛍光体の個数が例えば縦８×横１０の場合であってもよく、この場合、縦横サイズが８ｃｍ×１０ｃｍ程度となる。一つの分割領域のサイズを小さくすればするほど、より精細にコントラスト比を向上させることができる。
【００５０】
さらに、６行目のライン以降の半導体レーザ１０−６〜１０−ｍで、半導体レーザ１０−６を点灯させている間に、液晶素子３０−ｎ〜３０−１を順次各通常時間づつ、オンからオフに制御して、偏光ビームスプリッタ４０−ｎ〜４０−１で順次反射させて蛍光体８０−ｎ〜８０−１を順次各短時間づつ発光させる。以上の動作を半導体レーザ１０−６〜１０−ｍで高速に行う。
【００５１】
したがって、光源領域５のうちの最初の分割領域だけが周りに比べて暗くバックライトされて、液晶画像の暗い部分がいっそう暗くなって、画像のコントラスト比を向上させることができる。
【００５２】
以上のように、各ライン毎の液晶素子３０−ｎ〜３０−１を制御部２がオン／オフ制御することにより、半導体レーザ１０−１〜１０−ｍから出射されるレーザ光の偏光面を回転させて、偏光ビームスプリッタ４０−ｎ〜４０−１で光を所望の方向に反射させて導くことができる。このように、液晶素子および偏光ビームスプリッタを組み合わせることにより、半導体レーザから出射されるレーザ光を面内の所望の位置に導くことができる。液晶素子の駆動タイミングと、半導体レーザ１０−１〜１０−ｍの駆動タイミングを調整することによって、面内の希望の位置の光量を自由に調整することができて、半導体レーザ素子を用いて、画像の各部分の平均の明るさに合わせて、光量を調整し、画像のコントラスト比を向上させることができる。
【００５３】
言うまでもないことであるが、光源領域５全面で均等な明るさで面照射することができる。
【００５４】
なお、本実施形態１では、光源領域５全面で均等な明るさで面照射することもできるが、所望のバックライトエリアで暗くすることもできるし、所望のバックライトエリアで明るくすることもできる。また、表示画面全体のうち、表示画面の周囲のバックライトを消灯することにより横長パノラマ画面とすることもできる。
【００５５】
また、本実施形態１では、明るい暗いの２段階にバックライトの分割エリア毎に制御する場合について説明したが、これに限らず、３段階以上の複数段階に分割エリア毎に明るさを制御するようにできる。
【００５６】
さらに、本実施形態１では、液晶表示装置のバックライト用光源装置１について説明したが、バックライト用光源装置１を液晶表示装置のバックライトとして用いずに照明装置としての面状発光装置とすることもできる。また、図５〜図１０に示したように、半導体レーザ１０を一つ用いると共に、複数の液晶素子３０−１〜３０−ｎ、複数の偏光ビームスプリッタ４０−１〜４０−ｎ、および複数の蛍光体８０−１〜８０−ｎを用いて、照明装置としてのライン状発光装置とすることもできる。また、この場合に、複数の蛍光体８０−ｎ〜８０−１を用いずに、半導体レーザ１０を一つ用いると共に、複数の液晶素子３０−１〜３０−ｎおよび複数の偏光ビームスプリッタ４０−１〜４０−ｎだけを用いて、ライン状発光装置とすることもできる。コピー装置の感光体ドラムに対して幅方向線状に照射するライン状発光装置とすることもできる。
【００５７】
（実施形態２）
上記実施形態１では、１ライン毎の半導体レーザ１０−１〜１０−ｍを持つバックライト用光源装置１について説明したが、本実施形態２では、画面全体で一つの半導体レーザ１０Ａを持つバックライト用光源装置１Ａについて説明する。
【００５８】
図１４は、本実施形態２のバックライト用光源装置１Ａにおける一部バックライトエリアの動作原理を模式的に示す要部構成図である。図１６は、本実施形態２のバックライト用光源装置１Ａにおいて光源領域を発光制御するための要部構成例を示すブロック図である。
【００５９】
図１４および図１６において、画像データに基づいて画像を表示する液晶ディスプレイのバックライト用光源装置１Ａは、レーザ光の出射する半導体レーザ素子としての半導体レーザ１０Ａが設けられ、半導体レーザ１０Ａからのレーザ光の偏光を第１偏光ＴＥおよび第２偏光ＴＭのいずれかの偏光にして出射する偏光出射手段としての液晶素子３０と、液晶素子３０からの出射光を第１偏光ＴＥおよび第２偏光ＴＭに応じて反射または透過する反射・透過手段としての偏光ビームスプリッタ４０との組み合わせを複数組有し、その複数組が半導体レーザ１０Ａからのレーザ光の出射方向に直線状に設けられ、この直線状に設けられた複数の偏光ビームスプリッタ４０−１〜４０−ｎからの各反射方向にそれぞれ、液晶素子３０と、偏光ビームスプリッタ４０と、この偏光ビームスプリッタ４０からの反射光が入射されて発光する蛍光体（図示せず）との組み合わせを複数組有して、複数の蛍光体（図示せず）がバックライトとして面状に配設されている。なお、蛍光体は、ここでは図示されていないが、図１４の偏光ビームスプリッタ４０−１〜４０−ｎのそれぞれの紙面手前側にある。
【００６０】
また、バックライト用光源装置１Ａは、後述する発光量調整部２２Ａの設定に基づいて、半導体レーザ１０Ａを駆動制御すると共に、複数の液晶素子３０−１〜３０−ｎおよび３０−１・２〜３０−ｎ・ｍからの各出射光を第１偏光ＴＥおよび第２偏光ＴＭのいずれかに順次選択制御する駆動制御部２１Ａと、画像データにより分割表示エリア毎に設定した明るさに応じて、分割表示エリアに対応した分割バックライトエリアの発光量を調整する発光量調整部２２Ａとを有している。この場合のｎおよびｍは自然数である。
【００６１】
以下、上記本実施形態２のバックライト用光源装置１Ａについて更に詳細に説明する。
【００６２】
図１３は、本実施形態２のバックライト用光源装置における一部エリアの構成例を模式的に示す要部構成図である。
【００６３】
図１３に示すように、本実施形態２のバックライト用光源装置１Ａにおいて、光源エリア全体を照射するための半導体レーザ１０Ａが設けられ、この半導体レーザ１０Ａからのレーザ光の出射方向に、平行光を得るためのコリメートレンズ２０が設けられ、レーザ光の出射方向に、液晶素子３０−ｐ・１と、偏光ビームスプリッタ４０−ｐ・１とのセットが多数直線状に配置されている。即ち、半導体レーザ１０Ａの出射方向に、コリメートレンズ２０の次に、液晶素子３０−ｐ・１と、偏光ビームスプリッタ４０−ｐ・１とを交互に多数セットを直線状に配置している。この場合の偏光ビームスプリッタ４０−ｐ・１は、ＴＥ透過、ＴＭ反射である。
【００６４】
また、複数個の液晶素子３０−１・１〜３０−ｎ・１（１≦ｐ≦ｎ）のそれぞれから複数個の偏光ビームスプリッタ４０−１・１〜４０−ｎ・１のそれぞれの反射方向に、さらに、液晶素子３０−ｐｑ（２≦ｑ）と、偏光ビームスプリッタ４０−ｐｑ（２≦ｑ）とのセットが多数直線状に配置されている。即ち、半導体レーザ１０Ａから偏光ビームスプリッタ４０−１・１〜４０−ｎ・１のそれぞれの反射方向に、液晶素子３０−ｐｑ（２≦ｑ）と、偏光ビームスプリッタ４０−ｐｑ（２≦ｑ）とを交互に多数セット直線状に配置している。
【００６５】
偏光ビームスプリッタ４０−ｐ・１がＴＥ透過、ＴＭ反射であるのに対して、偏光ビームスプリッタ４０−ｐｑ（２≦ｑ）はＴＥ反射、ＴＭ透過である。ＴＥ反射の場合の反射方向は紙面に垂直方向上側とする。偏光ビームスプリッタ４０−ｐｑ（２≦ｑ）の反射方向、即ち、紙面垂直方向上側に、ここでは図示されていないが、複数個の蛍光体８０−２〜８０−ｍがそれぞれ配置されている。複数個の蛍光体８０−１・２〜８０−ｎ・ｍはそれぞれ、使用する半導体レーザ１０Ａの発振波長にて励起される蛍光体である。これらの複数個の蛍光体８０−１・２〜８０−ｎ・ｍにより、表示部に対する光源エリア分の面状発光照射が為される。
【００６６】
次に、図１４を用いて、本実施形態２のバックライト用光源装置１Ａにおける一部バックライトエリアの動作原理について説明する。
図１４に示すように、まず、半導体レーザ１０Ａを駆動する。半導体レーザ１０Ａから出射されたレーザ光は、コリメートレンズ２０を通り、略平行なレーザ光５０となる。このとき、レーザ光５０の偏光面をＴＥとする。偏光面がＴＥのレーザ光５０は、ｏｎ状態の液晶素子３０−１・１を通るが偏光面ＴＥは変わらず、偏光ビームスプリッタ４０−１・１を透過する。最初に、この光路上に現れたｏｆｆ状態の液晶素子３０−２・１を通るときに、偏光面がＴＥからＴＭに変わり、点線で示す偏光面がＴＭのレーザ光６１となる。偏光面がＴＭのレーザ光６１は、ｏｆｆ状態の液晶素子３０−ｐ・１（１≦ｐ≦ｎ）直後の偏光ビームスプリッタ４０−ｐ・１で反射し、偏光面がＴＭのレーザ光７１となって、レーザ光６１の出射方向とは垂直方向に出射する。
偏光面がＴＭのレーザ光７１は、ｏｎ状態の液晶素子３０−２・２を通るが偏光面はＴＭのまま変わらず、偏光ビームスプリッタ４０−２・２を透過する。反射後、最初に光路上に現れたｏｆｆ状態の液晶素子３０−２・４を通るときに、偏光面はＴＥに変わり、偏光面がＴＥのレーザ光９０となる。偏光面がＴＥのレーザ光９０は、ｏｆｆ状態の液晶素子３０−２・４を通過直後の偏光ビームスプリッタ４０−２・４で図面紙面に垂直方向上側に反射し、偏光面がＴＥのレーザ光１００となる。ここでは青紫色のレーザ光１００は、ここでは図示していない蛍光体８０に照射されて蛍光体８０が白色に発光する。
なお、図１４で、レーザ光が通らない部分の液晶素子３０−ｐ・ｑのｏｎ／ｏｆｆは不問である。
【００６７】
上記のようにして、複数個の液晶素子３０−ｐ・ｑのｏｎ／ｏｆｆの組み合わせにより、面上に配置した希望する位置の蛍光体８０を発光させることができる。
【００６８】
また、複数個の液晶素子３０−ｐ・ｑのｏｎ／ｏｆｆの組み合わせを高速で切り替えることにより、あたかも、マトリクス状に配列された複数個の蛍光体８０が同時に面状に光っているような状態を作り出すことができる。
【００６９】
図１５は、本実施形態２のバックライト用光源装置１Ａにおける光源領域および半導体レーザの配置を模式的に示す平面図である。
【００７０】
図１５において、光源領域５Ａは複数のバックライト領域に分割されており、一つの半導体レーザ１０Ａが光源領域５Ａの右側下部に設けられている。まず、半導体レーザ１０Ａが点灯した状態で蛍光体８０−ｎ・ｍ〜８０−１・２が順次、白色で発光することを高速に繰り返すことにより、光源領域５Ａ全体として面発光する。
【００７１】
図１６に示すように、本実施形態２のバックライト用光源装置１Ａにおいて、光源領域５Ａを発光制御する制御部２Ａは、一つの半導体レーザ１０Ａに対して駆動信号を出力し、半導体レーザ１０Ａの駆動中に、複数個の液晶素子３０−ｎ・ｍ〜３０−１・２を順次オフするように制御が為される。
【００７２】
液晶表示装置の画像処理部３において各画素毎のカラー画像信号を、表示用に、色補間処理、ホワイトバランスおよびガンマ処理などの各種信号処理をした後に、表示部４の表示駆動回路を介して液晶表示画面上に表示する場合に、バックライト用光源装置１Ａは、光源領域５Ａの複数分割領域に対応した各画素毎のカラー画像信号の明るさの平均値または中央値が閾値以下になったときに、その分割領域に対応した各蛍光体が発光する明るさを暗くするように制御部２Ａが制御する。この場合の制御は、制御部２Ａが、蛍光体の発光時間を通常の発光時間よりも短くしてそのエリアのバックライトの発光強度を弱くする。このように、暗い画像のエリアのバックライトを暗くすることによって、画像のコントラスト比をいっそう向上させることができる。
【００７３】
例えば、光源領域５Ａのうちの最初の分割領域（ここでは、蛍光体が縦５×横５の場合であるが、縦８×横１０でもよい）のバックライト強度を弱く設定する場合について説明する。この最初の分割領域が半導体レーザ１０Ａで、液晶素子３０−１・２〜３０−１・６の場合に、光源領域５Ａを発光制御する制御部２Ａは、半導体レーザ１０Ａを点灯させている間に、液晶素子３０−１・２〜３０−１・６を順次各短時間づつ、オンからオフに制御して、偏光ビームスプリッタ４０−１・２〜４０−１・６で順次反射させて蛍光体８０−１・２〜８０−１・６を順次各短時間づつ発光させる。さらに、半導体レーザ１０Ａを点灯させている間に、液晶素子３０−１・７〜３０−１・ｍを順次各通常時間（短時間よりも長い時間）づつ、オンからオフに制御して、偏光ビームスプリッタ４０−１・７〜４０−１・ｍで順次反射させて蛍光体８０−１・７〜８０−１・ｍを順次各通常時間づつ発光させる。以上の動作を合計５列分まで繰り返し、６列目からは通常時間、蛍光体８０−６・２〜８０−ｎ・ｍを順次各通常時間づつ発光させる。これを半導体レーザ１０Ａで高速に行う。なお、一つの分割領域として、ここでは、蛍光体の個数が縦５×横５の場合について説明したが、これに限らず、蛍光体の個数が例えば縦８×横１０の場合であってもよく、この場合、縦横サイズが８ｃｍ×１０ｃｍ程度となる。一つの分割領域のサイズを小さくすればするほど、より精細にコントラスト比を向上させることができる。
【００７４】
したがって、光源領域５Ａのうちの最初の分割領域だけが周りに比べて暗くバックライトが点灯されて、液晶画像の暗い部分がいっそう暗くなって、画像のコントラスト比を向上させることができる。
以上のように、液晶素子３０−ｎ・ｍ〜３０−１・１を制御部２Ａがオン／オフ制御することにより、半導体レーザ１０Ａから出射されるレーザ光の偏光面を回転させて、偏光ビームスプリッタ４０−ｎ・ｍ〜４０−１・１で光を所望の方向に反射させて所望の位置に導くことができる。このように、液晶素子および偏光ビームスプリッタを組み合わせることにより、半導体レーザ１０Ａから出射されるレーザ光を面内の所望の位置に導くことができる。液晶素子の駆動タイミングと、半導体レーザ１０Ａの駆動タイミングを調整することによって、面内の希望の位置の光量を自由に調整することができて、半導体レーザ素子を用いて、画像の各部分の平均の明るさに合わせて、光量を調整し、画像のコントラスト比を向上させることができる。
【００７５】
言うまでもないことであるが、光源領域５Ａ全面で均等な明るさで面照射することができる。
【００７６】
なお、本実施形態２では、液晶表示装置のバックライト用光源装置１Ａとして用いる場合に、光源領域５全面で均等な明るさで面照射することもできるが、所望のエリアで暗くすることもできるし、所望のエリアで明るくすることもできる。また、表示画面全体のうち、表示画面の周囲のバックライトを消灯することにより横長パノラマ画面とすることもできる。
【００７７】
また、本実施形態２では、明るい暗いの２段階にバックライトの分割エリア毎に制御する場合について説明したが、これに限らず、３段階以上の複数段階に分割エリア毎に明るさを制御するようにできる。
【００７８】
さらに、本実施形態２では、液晶表示装置のバックライト用光源装置１Ａについて説明したが、バックライト用光源装置１Ａを液晶表示装置のバックライトとして用いずに照明装置としてのライン状または面状の発光装置として用いることもできる。この場合、蛍光体８０を配置してもよいが、用途により、蛍光体８０は無くても良い。また、本実施形態２では、一つの半導体レーザ１０Ａにより複数の蛍光体を発光させて面照射しているが、一つの半導体レーザ１０Ａで面照射エネルギーが少ない場合には、バックライト全面を上下または左右に２分割または、バックライト全面を上下および左右に４分割して半導体レーザ１０Ａを２個または４個用いて面照射エネルギーを得るようにすることもできる。または、それ以上の複数の半導体レーザ１０Ａを用いて面照射エネルギーを得るようにすることもできる。
【００７９】
なお、上記実施形態１，２では、半導体レーザ１０は、一定光出力を出し、照射時間の長短で蛍光体８０の発光強度を調整したが、これに限らずまたはこれと共に、半導体レーザ１０の光出力を、複数個の液晶素子３０のｏｎ／ｏｆｆの組み合わせと、同期を取って増減することにより、複数個の蛍光体８０の発光量を調整することができる。即ち、複数個の液晶素子３０のｏｎ／ｏｆｆの組み合わせを高速で順番に切り替える際に、希望位置の蛍光体８０が光るタイミングで、半導体レーザ１０の光出力を増加すれば、希望の蛍光体８０のみがより強く発光する。即ち、半導体レーザ１０への駆動電流を増加させたり低下させればレーザ強度を強くしたり弱くしたりすることができる。これにより、従来技術では、為し得なかった、面内の光量を調整することができ、半導体レーザ１０を用いて「エリアアクティブ」に応用することが可能となる。
【００８０】
なお、上記実施形態１，２では、液晶ディスプレイのバックライト用光源装置１または１Ａの線状または面状光源装置としての発光装置の利用について説明したが、これに限らず、配置する液晶素子３０、偏光ビームスプリッタ４０および蛍光体８０のうちの少なくとも液晶素子３０および偏光ビームスプリッタ４０を十分な数量配置することができれば、即ち、文字や記号、さらには絵を表すドット数だけ配置できれば、本発明の発光装置単体で、表示装置のディスプレイとしての用途で利用が可能となる。
【００８１】
なお、本実施形態１、２では、特に詳細には説明していないが、半導体レーザ素子からのレーザ光の偏光を第１偏光および第２偏光のいずれかの偏光にして出射する偏光出射手段と、偏光出射手段からの出射光を該第１偏光および該第２偏光に応じて反射または透過する反射・透過手段とを基本単位として用いて、線状又は面状に光照射可能とすることによって、半導体レーザ素子を用いて発熱を防止し薄型化が困難にならず、光源エリアのうちの所望のエリア部分の光量を容易に調整することができる本発明の目的を達成することができる。
【００８２】
以上のように、本発明の好ましい実施形態１〜３を用いて本発明を例示してきたが、本発明は、この実施形態１〜３に限定して解釈されるべきものではない。本発明は、特許請求の範囲によってのみその範囲が解釈されるべきであることが理解される。当業者は、本発明の具体的な好ましい実施形態１〜３の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００８３】
本発明は、半導体レーザを用いた線状または面状の発光装置および、これを液晶ディスプレイのバックライトとして用いたバックライト用光源装置、このバックライト用光源装置をバックライトとして用いた液晶表示装置、この発光装置を用いて文字および記号などのシンボルを表示可能とする表示装置の分野において、半導体レーザ素子を用いて発熱を防止し薄型化が困難にならず、光源エリアのうちの所望のエリア部分の光量を容易に調整することができる。
【符号の説明】
【００８４】
１、１Ａ  バックライト用光源装置
２、２Ａ  制御部
３  画像処理部
４  表示部
５、５Ａ  光源領域
１０、１０−１〜１０−ｍ、１０Ａ  半導体レーザ（半導体レーザ素子）
３０、３０−１〜３０−ｎ、３０−１・１〜３０−ｎ・ｍ  液晶素子（偏光出射手段）
４０、４１、４０−１〜４０−ｎ、４０−１・１〜４０−ｎ・ｍ  偏光ビームスプリッタ（反射・透過手段）
８０、８０−１〜８０−ｎ、８０−１・２〜８０−ｎ・ｍ  蛍光体
２０  コリメートレンズ
２１、２１Ａ  駆動制御部
２２，２２Ａ  発光量調整部
１００  ＴＥレーザ光（紙面に垂直上方に出射）
【図１】
2012094411.tif 000003
【図２】
2012094411.tif 000004
【図３】
2012094411.tif 000005
【図４】
2012094411.tif 000006
【図５】
2012094411.tif 000007
【図６】
2012094411.tif 000008
【図７】
2012094411.tif 000009
【図８】
2012094411.tif 000010
【図９】
2012094411.tif 000011
【図１０】
2012094411.tif 000012
【図１１】
2012094411.tif 000013
【図１２】
2012094411.tif 000014
【図１３】
2012094411.tif 000015
【図１４】
2012094411.tif 000016
【図１５】
2012094411.tif 000017
【図１６】
2012094411.tif 000018